【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
複数の画像処理装置とネットワークを介して接続される情報処理装置において、
前記ネットワーク上で前記情報処理装置を識別するための識別情報と、当該識別情報をユーザが特定するための特定情報とを、前記ネットワーク上の複数の画像処理装置に送信する送信手段と、
前記複数の画像処理装置のうちの何れかの画像処理装置において、前記特定情報がユーザによって選択された場合に、当該画像処理装置から前記識別情報に基づいて送信された当該画像処理装置の情報を受信する受信手段と、
を備えることを特徴とする情報処理装置。
【請求項２】
前記受信手段によって、前記画像処理装置の情報を受信したことに応じて、前記送信手段で送信された識別情報と特定情報とを前記複数の画像処理装置において記憶手段から削除するための指示を、前記複数の画像処理装置に送信する第２の送信手段を更に有することを特徴とする請求項１記載の情報処理装置。
【請求項３】
ユーザにパスワードを入力させるための設定が行われていると、前記送信手段は、当該ユーザにパスワードを入力させるための前記設定を、前記識別情報及び前記特定情報と共に前記複数の画像処理装置に送信することを特徴とする請求項１又は２に記載の情報処理装置。
【請求項４】
前記識別情報は、前記情報処理装置のＩＰアドレスであることを特徴とする請求項１乃至３の何れか一項に記載の情報処理装置。
【請求項５】
前記特定情報は、ユーザによって入力された情報であることを特徴とする請求項１乃至４の何れか一項に記載の情報処理装置。
【請求項６】
前記画像処理装置の情報は、当該画像処理装置のＩＰアドレスを少なくとも含むことを特徴とする請求項１乃至５の何れか一項に記載の情報処理装置。
【請求項７】
前記送信手段は、前記識別情報と前記特定情報とをブロードキャストによって送信することを特徴とする請求項１乃至６の何れか一項に記載の情報処理装置。
【請求項８】
ネットワークを介して情報処理装置に接続された画像処理装置であって、
前記情報処理装置から複数の画像処理装置に対して送信された、前記ネットワーク上で前記情報処理装置を識別するための識別情報と当該識別情報をユーザが特定するための特定情報とを受信する受信手段と、
前記受信手段によって受信した前記特定情報を表示する表示手段と、
前記表示手段によって表示された前記特定情報がユーザに選択されたことに応じて、前記画像処理装置の情報を前記受信手段によって受信した識別情報に基づいて前記ネットワーク上に送信する送信手段と、
を備えることを特徴とする画像処理装置。
【請求項９】
前記受信手段によって受信した前記識別情報及び前記特定情報を記憶する記憶手段と、
前記受信手段によって前記識別情報及び前記特定情報が受信された後、所定の時間、前記特定情報がユーザに選択されなかった場合、前記識別情報及び前記特定情報を記憶手段から削除する削除手段を更に有することを特徴とする請求項８記載の画像処理装置。
【請求項１０】
前記受信手段によって受信した前記識別情報及び前記特定情報を記憶する記憶手段と、
前記情報処理装置から、前記識別情報と前記特定情報を前記記憶手段から削除する指示を受信する第２の受信手段と、
前記第２の受信手段によって前記指示が受信されたことに応じて、前記識別情報及び前記特定情報を記憶手段から削除する削除手段を有することを特徴とする請求項８記載の画像処理装置。
【請求項１１】
前記表示手段によって表示された前記特定情報が、ユーザによって選択されたことに応じて、ユーザにパスワードを入力させるための画面を表示する第２の表示手段を更に有することを特徴とする請求項８乃至１０の何れか一項に記載の画像処理装置。
【請求項１２】
前記識別情報は、前記情報処理装置のＩＰアドレスであることを特徴とする請求項８乃至１１の何れか一項に記載の画像処理装置。
【請求項１３】
前記特定情報は、ユーザによって入力された情報であることを特徴とする請求項８乃至１２の何れか一項に記載の画像処理装置。
【請求項１４】
前記画像処理装置の情報は、当該画像処理装置のＩＰアドレスを少なくとも含むことを特徴とする請求項８乃至１３の何れか一項に記載の画像処理装置。
【請求項１５】
複数の画像処理装置とネットワークを介して接続される情報処理装置の制御方法において、
ネットワーク上で前記情報処理装置を識別するための識別情報と、当該識別情報をユーザが特定するための特定情報とを、前記ネットワーク上の複数の画像処理装置に送信する送信ステップと、
前記複数の画像処理装置のうちの何れかの画像処理装置において、前記特定情報がユーザによって選択された場合に、当該画像処理装置から前記識別情報に基づいて送信された当該画像処理装置の情報を受信する受信ステップと、
を備えることを特徴とする情報処理装置の制御方法。
【請求項１６】
複数の画像処理装置とネットワークを介して接続される情報処理装置の制御方法をコンピュータに実行させるプログラムにおいて、
前記制御方法は、
ネットワーク上で前記情報処理装置を識別するための識別情報と、当該識別情報をユーザが特定するための特定情報とを、前記ネットワーク上の複数の画像処理装置に送信する送信ステップと、
前記複数の画像処理装置のうちの何れかの画像処理装置において、前記特定情報がユーザによって選択された場合に、当該画像処理装置から前記識別情報に基づいて送信された当該画像処理装置の情報を受信する受信ステップと、
を備えることを特徴とするプログラム。
【請求項１７】
ネットワークを介して情報処理装置に接続された画像処理装置の制御方法であって、
前記情報処理装置から複数の画像処理装置に対して送信された、前記ネットワーク上で前記情報処理装置を識別するための識別情報と当該識別情報をユーザが特定するための特定情報とを受信する受信ステップと、
前記受信ステップによって受信した前記特定情報を表示する表示ステップと、
前記表示ステップによって表示された前記特定情報がユーザに選択されたことに応じて、前記画像処理装置の情報を前記受信ステップによって受信した識別情報に基づいて前記ネットワーク上に送信する送信ステップと、
を備えることを特徴とする画像処理装置の制御方法。
【請求項１８】
ネットワークを介して情報処理装置に接続された画像処理装置の制御方法をコンピュータに実行させるプログラムであって、
前記制御方法は、
前記情報処理装置から複数の画像処理装置に対して送信された、前記ネットワーク上で前記情報処理装置を識別するための識別情報と当該識別情報をユーザが特定するための特定情報とを受信する受信ステップと、
前記受信ステップによって受信した前記特定情報を表示する表示ステップと、
前記表示ステップによって表示された前記特定情報がユーザに選択されたことに応じて、前記画像処理装置の情報を前記受信ステップによって受信した識別情報に基づいて前記ネットワーク上に送信する送信ステップと、
を備えることを特徴とするプログラム。
【手続補正２】
【補正対象書類名】明細書
【補正対象項目名】００１０
【補正方法】変更
【補正の内容】
【００１０】
上記目的を達成するために、本発明による情報処理装置は、複数の画像処理装置とネットワークを介して接続される情報処理装置において、前記ネットワーク上で前記情報処理装置を識別するための識別情報と、当該識別情報をユーザが特定するための特定情報とを、前記ネットワーク上の複数の画像処理装置に送信する送信手段と、前記複数の画像処理装置のうちの何れかの画像処理装置において、前記特定情報がユーザによって選択された場合に、当該画像処理装置から前記識別情報に基づいて送信された当該画像処理装置の情報を受信する受信手段とを備えることを特徴とする。
【手続補正３】
【補正対象書類名】明細書
【補正対象項目名】００１１
【補正方法】変更
【補正の内容】
【００１１】
本発明による画像処理装置は、ネットワークを介して情報処理装置に接続された画像処理装置であって、前記情報処理装置から複数の画像処理装置に対して送信された、前記ネットワーク上で前記情報処理装置を識別するための識別情報と当該識別情報をユーザが特定するための特定情報とを受信する受信手段と、前記受信手段によって受信した前記特定情報を表示する表示手段と、前記表示手段によって表示された前記特定情報がユーザに選択されたことに応じて、前記画像処理装置の情報を前記受信手段によって受信した識別情報に基づいて前記ネットワーク上に送信する送信手段とを備えることを特徴とする。
【手続補正４】
【補正対象書類名】明細書
【補正対象項目名】００１２
【補正方法】変更
【補正の内容】
【００１２】
本発明による情報処理装置の制御方法は、複数の画像処理装置とネットワークを介して接続される情報処理装置の制御方法において、ネットワーク上で前記情報処理装置を識別するための識別情報と、当該識別情報をユーザが特定するための特定情報とを、前記ネットワーク上の複数の画像処理装置に送信する送信ステップと、前記複数の画像処理装置のうちの何れかの画像処理装置において、前記特定情報がユーザによって選択された場合に、当該画像処理装置から前記識別情報に基づいて送信された当該画像処理装置の情報を受信する受信ステップとを備えることを特徴とする。
【手続補正５】
【補正対象書類名】明細書
【補正対象項目名】００１３
【補正方法】変更
【補正の内容】
【００１３】
本発明によるプログラムは、複数の画像処理装置とネットワークを介して接続される情報処理装置の制御方法をコンピュータに実行させるプログラムにおいて、前記制御方法は、ネットワーク上で前記情報処理装置を識別するための識別情報と、当該識別情報をユーザが特定するための特定情報とを、前記ネットワーク上の複数の画像処理装置に送信する送信ステップと、前記複数の画像処理装置のうちの何れかの画像処理装置において、前記特定情報がユーザによって選択された場合に、当該画像処理装置から前記識別情報に基づいて送信された当該画像処理装置の情報を受信する受信ステップとを備えることを特徴とする。
【手続補正６】
【補正対象書類名】明細書
【補正対象項目名】００１４
【補正方法】変更
【補正の内容】
【００１４】
また、本発明による画像処理装置の制御方法は、ネットワークを介して情報処理装置に接続された画像処理装置の制御方法であって、前記情報処理装置から複数の画像処理装置に対して送信された、前記ネットワーク上で前記情報処理装置を識別するための識別情報と当該識別情報をユーザが特定するための特定情報とを受信する受信ステップと、前記受信ステップによって受信した前記特定情報を表示する表示ステップと、前記表示ステップによって表示された前記特定情報がユーザに選択されたことに応じて、前記画像処理装置の情報を前記受信ステップによって受信した識別情報に基づいて前記ネットワーク上に送信する送信ステップとを備えることを特徴とする。
【手続補正７】
【補正対象書類名】明細書
【補正対象項目名】００１５
【補正方法】変更
【補正の内容】
【００１５】
さらに、本発明によるプログラムは、ネットワークを介して情報処理装置に接続された画像処理装置の制御方法をコンピュータに実行させるプログラムであって、前記制御方法は、前記情報処理装置から複数の画像処理装置に対して送信された、前記ネットワーク上で前記情報処理装置を識別するための識別情報と当該識別情報をユーザが特定するための特定情報とを受信する受信ステップと、前記受信ステップによって受信した前記特定情報を表示する表示ステップと、前記表示ステップによって表示された前記特定情報がユーザに選択されたことに応じて、前記画像処理装置の情報を前記受信ステップによって受信した識別情報に基づいて前記ネットワーク上に送信する送信ステップとを備えることを特徴とする。